(57)【要約】【課題】移動体における位置移動による受信不良発生によって継続的な番組視聴が提供できないことに対して、複数の送出設備から放送信号を受信し、枝番によりチャンネル情報を記憶管理している場合には、受信不良の検出により枝番を切り換えることで継続した番組視聴を可能とする放送受信装置の提供を目的とする。【解決手段】受信不良状態が発生した場合には、異なる送出設備から送出される放送信号の異なる枝番をもつ同一のチャンネル番号のチャンネルを選局切り換えることで継続した番組視聴が可能となる。【選択図】図２
2007088673.tif 000002
【特許請求の範囲】
【請求項１】
放送信号を受信する受信手段と、
受信状態を検出する受信状態検出手段と、
前記受信状態検出手段の検出した受信状態の変化を判定する受信状態判定手段と、
放送信号から選局可能なチャンネルをスキャンするチャンネル設定手段と前記チャンネル設定手段によりスキャンされたチャンネル情報を記憶するチャンネル情報記憶手段と、
前述の各手段をコントロールするＣＰＵとを備えた放送受信装置であって、
前記チャンネル情報記憶手段のチャンネル情報から同一チャンネル番号に割り振られた枝番を検索する枝番検索手段と、
前記受信状態判定手段により受信不良状態を検出した場合に前記枝番検索手段からの情報に基づき異なる枝番のチャンネルに選局を切り換える選局切換手段を備えることを特徴とする放送受信装置。
【請求項２】
前記受信状態検出手段は、前記受信手段によりデジタル放送を受信した時に、デジタル放送の放送電波をトランスポート信号に変換する際に発生するデータ誤り量から受信手段の放送電波受信状態を分析することを特徴とする請求項１に記載の放送受信装置。
【請求項３】
前記チャンネル情報記憶手段は、前記チャンネル設定手段により設定されたチャンネル番号が既に同一チャンネル番号が存在する場合は、枝番により管理記憶することを特徴とする請求項１に記載の放送受信装置。
【請求項４】
前記枝番検索手段は、前記チャンネル情報記憶手段が管理記憶するチャンネル番号および枝番から、特定のチャンネル番号および枝番を検索することを特徴とする請求項１に記載の放送受信装置。
【請求項５】
前記選局切換手段は、前記受信状態判定手段により受信不良状態を検出した場合に、前記枝番検索手段が検索した枝番情報に基づき前記チャンネル情報記憶手段から当該の枝番のチャンネル情報を読み出し選局を行うことを特徴とする請求項１に記載の放送受信装置。
【請求項６】
前記選局切換手段は、前記受信状態判定手段により受信不良状態を検出した場合に、前記枝番検索手段が検索した枝番情報に基づき前記チャンネル情報記憶手段から当該の枝番のチャンネル情報を読み出し選局を行うか、現状の選局状態を維持するかをユーザーが選択できることを特徴とする請求項１に記載の放送受信装置。
【請求項７】
前記選局切換手段は、前記受信状態判定手段により受信不良状態を検出した場合に、前記枝番検索手段が検索した枝番情報が存在しない場合は、前記チャンネル設定手段により選局可能なチャンネルを再度スキャンさせることを特徴とする請求項１に記載の放送受信装置。
【請求項８】
前記選局切換手段は、前記受信状態判定手段により受信不良状態を検出した場合に、前記枝番検索手段が検索した枝番情報が存在しない場合は、前記チャンネル設定手段により選局可能なチャンネルを再度スキャンさせるか、現状の選局状態を維持するかをユーザーが選択できることを特徴とする請求項１に記載の放送受信装置。
【請求項９】
放送信号を受信する受信ステップと、
受信状態を検出する受信状態検出ステップと、
前記受信状態検出ステップの検出した受信状態の変化を判定する受信状態判定ステップと、
放送信号から選局可能なチャンネルをスキャンするチャンネル設定ステップと前記チャンネル設定ステップによりスキャンされたチャンネル情報を記憶するチャンネル情報記憶ステップと、
前述の各ステップをコントロールするステップあって、
前記チャンネル情報記憶ステップのチャンネル情報から同一チャンネル番号に割り振られた枝番を検索する枝番検索ステップと、前記受信状態判定ステップにより受信不良状態を検出した場合に前記枝番検索ステップからの情報に基づき異なる枝番のチャンネルに選局を切り換える選局切換ステップを備えることを特徴とする放送受信方法。
【請求項１０】
前記受信状態検出ステップは、前記受信ステップによりデジタル放送を受信した時に、デジタル放送の放送電波をトランスポート信号に変換する際に発生するデータ誤り量から受信ステップの放送電波受信状態を分析することを特徴とする請求項９に記載の放送受信方法。
【請求項１１】
前記チャンネル情報記憶ステップは、前記チャンネル設定ステップにより設定されたチャンネル番号が既に同一チャンネル番号が存在する場合は、枝番により管理記憶することを特徴とする請求項９に記載の放送受信方法。
【請求項１２】
前記枝番検索ステップは、前記チャンネル情報記憶ステップが管理記憶するチャンネル番号および枝番から、特定のチャンネル番号および枝番を検索することを特徴とする請求項９に記載の放送受信方法。
【請求項１３】
前記選局切換ステップは、前記受信状態判定ステップにより受信不良状態を検出した場合に、前記枝番検索ステップが検索した枝番情報に基づき前記チャンネル情報記憶ステップから当該の枝番のチャンネル情報を読み出し選局を行うことを特徴とする請求項９に記載の放送受信方法。
【請求項１４】
前記選局切換ステップは、前記受信状態判定ステップにより受信不良状態を検出した場合に、前記枝番検索ステップが検索した枝番情報に基づき前記チャンネル情報記憶ステップから当該の枝番のチャンネル情報を読み出し選局を行うか、現状の選局状態を維持するかをユーザーが選択できることを特徴とする請求項９に記載の放送受信方法。
【請求項１５】
前記選局切換ステップは、前記受信状態判定ステップにより受信不良状態を検出した場合に、前記枝番検索ステップが検索した枝番情報が存在しない場合は、前記チャンネル設定ステップにより選局可能なチャンネルを再度スキャンさせることを特徴とする請求項９に記載の放送受信方法。
【請求項１６】
前記選局切換ステップは、前記受信状態判定ステップにより受信不良状態を検出した場合に、前記枝番検索ステップが検索した枝番情報が存在しない場合は、前記チャンネル設定ステップにより選局可能なチャンネルを再度スキャンさせるか、現状の選局状態を維持するかをユーザーが選択できることを特徴とする請求項９に記載の放送受信方法。
【請求項１７】
放送信号を受信する受信ステップと、
受信状態を検出する受信状態検出ステップと、
前記受信状態検出ステップの検出した受信状態の変化を判定する受信状態判定ステップと、
放送信号から選局可能なチャンネルをスキャンするチャンネル設定ステップと前記チャンネル設定ステップによりスキャンされたチャンネル情報を記憶するチャンネル情報記憶ステップと、
前述の各ステップをコントロールするステップあって、前記チャンネル情報記憶ステップのチャンネル情報から同一チャンネル番号に割り振られた枝番を検索する枝番検索ステップと、
前記受信状態判定ステップにより受信不良状態を検出した場合に前記枝番検索ステップからの情報に基づき異なる枝番のチャンネルに選局を切り換える選局切換ステップとを実行させるためのプログラムを記録した記録媒体。
【請求項１８】
前記受信状態検出ステップは、前記受信ステップによりデジタル放送を受信した時に、デジタル放送の放送電波をトランスポート信号に変換する際に発生するデータ誤り量から受信ステップの放送電波受信状態を分析することを特徴とする請求項１７に記載のプログラムを記録した記録媒体。
【請求項１９】
前記チャンネル情報記憶ステップは、前記チャンネル設定ステップにより設定されたチャンネル番号が既に同一チャンネル番号が存在する場合は、枝番により管理記憶することを特徴とする請求項１７に記載のプログラムを記録した記録媒体。
【請求項２０】
前記枝番検索ステップは、前記チャンネル情報記憶ステップが管理記憶するチャンネル番号および枝番から、特定のチャンネル番号および枝番を検索することを特徴とする請求項１７に記載のプログラムを記録した記録媒体。
【請求項２１】
前記選局切換ステップは、前記受信状態判定ステップにより受信不良状態を検出した場合に、前記枝番検索ステップが検索した枝番情報に基づき前記チャンネル情報記憶ステップから当該の枝番のチャンネル情報を読み出し選局を行うことを特徴とする請求項１７に記載のプログラムを記録した記録媒体。
【請求項２２】
前記選局切換ステップは、前記受信状態判定ステップにより受信不良状態を検出した場合に、前記枝番検索ステップが検索した枝番情報に基づき前記チャンネル情報記憶ステップから当該の枝番のチャンネル情報を読み出し選局を行うか、現状の選局状態を維持するかをユーザーが選択できることを特徴とする請求項１７に記載のプログラムを記録した記録媒体。
【請求項２３】
前記選局切換ステップは、前記受信状態判定ステップにより受信不良状態を検出した場合に、前記枝番検索ステップが検索した枝番情報が存在しない場合は、前記チャンネル設定ステップにより選局可能なチャンネルを再度スキャンさせることを特徴とする請求項１７に記載のプログラムを記録した記録媒体。
【請求項２４】
前記選局切換ステップは、前記受信状態判定ステップにより受信不良状態を検出した場合に、前記枝番検索ステップが検索した枝番情報が存在しない場合は、前記チャンネル設定ステップにより選局可能なチャンネルを再度スキャンさせるか、現状の選局状態を維持するかをユーザーが選択できることを特徴とする請求項１７に記載のプログラムを記録した記録媒体。
【請求項２５】
放送信号を受信する受信手段と、
受信状態を検出する受信状態検出手段と、
前記受信状態検出手段の検出した受信状態の変化を判定する受信状態判定手段と、
放送信号から選局可能なチャンネルをスキャンするチャンネル設定手段と前記チャンネル設定手段によりスキャンされたチャンネル情報を記憶するチャンネル情報記憶手段と、
前述の各手段をコントロールするＣＰＵとを備えた放送受信装置であって、
前記チャンネル情報記憶手段のチャンネル情報から同一チャンネル番号に割り振られた枝番を検索する枝番検索手段と、前記受信状態判定手段により受信不良状態を検出した場合に前記枝番検索手段からの情報に基づき異なる枝番のチャンネルに選局を切り換える選局切換手段として機能させるためのプログラム。
【請求項２６】
前記受信状態検出手段は、前記受信手段によりデジタル放送を受信した時に、デジタル放送の放送電波をトランスポート信号に変換する際に発生するデータ誤り量から受信手段の放送電波受信状態を分析することを特徴とする請求項２５に記載のプログラム。
【請求項２７】
前記チャンネル情報記憶手段は、前記チャンネル設定手段により設定されたチャンネル番号が既に同一チャンネル番号が存在する場合は、枝番により管理記憶することを特徴とする請求項２５に記載のプログラム。
【請求項２８】
前記枝番検索手段は、前記チャンネル情報記憶手段が管理記憶するチャンネル番号および枝番から、特定のチャンネル番号および枝番を検索することを特徴とする請求項２５に記載のプログラム。
【請求項２９】
前記選局切換手段は、前記受信状態判定手段により受信不良状態を検出した場合に、前記枝番検索手段が検索した枝番情報に基づき前記チャンネル情報記憶手段から当該の枝番のチャンネル情報を読み出し選局を行うことを特徴とする請求項２５に記載のプログラム。
【請求項３０】
前記選局切換手段は、前記受信状態判定手段により受信不良状態を検出した場合に、前記枝番検索手段が検索した枝番情報に基づき前記チャンネル情報記憶手段から当該の枝番のチャンネル情報を読み出し選局を行うか、現状の選局状態を維持するかをユーザーが選択できることを特徴とする請求項２５に記載のプログラム。
【請求項３１】
前記選局切換手段は、前記受信状態判定手段により受信不良状態を検出した場合に、前記枝番検索手段が検索した枝番情報が存在しない場合は、前記チャンネル設定手段により選局可能なチャンネルを再度スキャンさせることを特徴とする請求項２５に記載のプログラム。
【請求項３２】
前記選局切換手段は、前記受信状態判定手段により受信不良状態を検出した場合に、前記枝番検索手段が検索した枝番情報が存在しない場合は、前記チャンネル設定手段により選局可能なチャンネルを再度スキャンさせるか、現状の選局状態を維持するかをユーザーが選択できることを特徴とする請求項２５に記載のプログラム。
【発明の詳細な説明】
【技術分野】
【０００１】
本発明は放送受信装置において放送番組の選局視聴を行う際に、放送電波の受信状況の変化により選局視聴に障害が発生した場合に、同一チャンネル番号を有するチャンネルの選局切換を行い、放送番組の選局視聴を維持させる処理を行う放送受信装置に関するものであり、例えば地上波デジタル放送による車載用放送受信装置など移動体に搭載の放送受信装置に適用することができる。
【背景技術】
【０００２】
放送電波を用いた番組放送においては、電波は降雨や障害物、位置移動などを原因とする障害によって減衰を受けることがある。
【０００３】
一般的に放送電波の減衰による受信不良が発生した場合には、選局を行うための番組情報の取得が困難になる。そのため、受信不良状態から受信状態が良化した場合には番組情報を再度取得し、再選局動作を行うことが知られている。
【０００４】
また、エラー耐性の異なる複数の階層で放送信号を送出し、受信状態の変化に伴い受信対象の階層を切り換えるデジタル放送受信装置の提案がなされている。このようなデジタル放送受信装置として、特許文献１がある。特許文献１のデジタル放送受信装置の処理を示すフローチャートを従来例１とし、図５に示す。
【０００５】
図５に示す受信機は、ＯＦＤＭ復調回路から得られる電界強度データを判定することにより、受信状態が劣化したか否か判断する。受信状態が劣化して現在受信中の階層について、受信困難な状態に近づくと、エラー耐性の強い下位階層に受信対象を切り換える。これにより何らユーザーが操作しなくても引き続き同一の番組を視聴することができることを特徴としている。
【０００６】
具体的には従来例１に示す受信機においては、受信環境の劣化によりエラーレートが増大して現在受信中の階層を受信できなくなりそうになると、エラー耐性の強い下位階層に受信対象を切り換える。エラー耐性の弱い上位階層の受信対象を切り換える。これによりユーザーの負担を軽減して、所望する番組を途絶えることなく視聴することができる。
【特許文献１】特開２００３−２７３７６０号公報（第１項、第１図）
【発明の開示】
【発明が解決しようとする課題】
【０００７】
視聴の対象となる番組の放送中に降雨や障害物、位置移動などを原因とする障害によって受信状態が劣化した場合に、放送番組の視聴が中断し、放送状態の良化を待たなければ放送番組の継続した視聴を行うことができない。
【０００８】
この場合、エラー耐性の異なる複数の階層で放送信号を送出することで、受信状態のレベルに応じた階層の放送信号を受信することで継続した視聴を可能となるが、移動体に搭載される放送受信装置においては、位置移動によって放送信号の送出設備からの距離による受信状態の劣化が発生し、階層切換えでは継続した視聴を行うことは困難である。
【０００９】
本発明は上記のような状況を鑑み、複数の送出設備から放送信号を受信し、枝番によりチャンネル情報を記憶管理している場合には、受信不良の検出により枝番を切り換えることで継続した視聴を可能とする放送受信装置を提案するものである。
【課題を解決するための手段】
【００１０】
本発明で提案する放送受信装置は、具体的には放送信号を受信する受信手段と、受信状態を検出する受信状態検出手段と、前記受信状態検出手段の検出した受信状態の変化を判定する受信状態判定手段と、放送信号から選局可能なチャンネルをスキャンするチャンネル設定手段と前記チャンネル設定手段によりスキャンされたチャンネル情報を記憶するチャンネル情報記憶手段と、前述の各手段をコントロールするＣＰＵとを備えた放送受信装置であって、前記チャンネル情報記憶手段のチャンネル情報から同一チャンネル番号に割り振られた枝番を検索する枝番検索手段と、前記受信状態判定手段により受信不良状態を検出した場合に前記枝番検索手段からの情報に基づき異なる枝番のチャンネルに選局を切り換える選局切換手段を備えることを特徴とする放送受信装置である。
【発明の効果】
【００１１】
この発明によれば、移動などによる送出設備からの距離により受信不良が発生した場合であっても受信不良の発生を自動的に検出し、異なる送出設備からの同一のチャンネル番号を持つチャンネルに自動的に切り換えることが可能となり、ストレスのなく番組視聴の継続維持をユーザーに提供することができる。
【発明を実施するための最良の形態】
【００１２】
以下に、本発明の実施の形態について、図面を参照しながら説明する。
【００１３】
（実施の形態１）
本発明で提案する放送受信装置の第１の実施形態を説明する。
【００１４】
図１は本発明の第１の実施形態である放送受信装置１００の構成例を示している。
【００１５】
アンテナによって受信された放送電波は、受信手段１０１において指定するチャンネルの信号が抽出され映像・音声復調手段１０２において映像・音声信号に変換されテレビやビデオに出力される。
【００１６】
チャンネル設定手段１２２は方送受信装置１００が選局可能な番組のチャンネル情報をあらかじめ設定するためのものである。
【００１７】
チャンネル情報記憶手段１２３はチャンネル設定１２２であらかじめ設定されたチャンネル情報を記憶するものである。異なる送出設備から送出された同一のチャンネル番号を持つ番組のチャンネルの情報は、枝番を割り振ることで管理記憶する。
【００１８】
受信状態検出手段１１１は受信手段１０１において、アンテナからの放送電波入力を放送信号出力に変換する際の変換エラー発生割合の数値を参照することで放送電波の受信状態を監視するものである。
【００１９】
受信状態判定手段１２６は、受信状態検出手段１１１から取得した受信状態を一定のしきい値を用いて受信不良の状態（以下受信不良状態という）もしくは受信良好の状態（以下受信良好状態という）を判定しＣＰＵ１２１に対して受信状態メッセージを送信する。
【００２０】
枝番検索手段１２４はチャンネル記憶手段１２３が管理記憶するチャンネル情報のチャンネル番号および枝番から特定のチャンネル番号および枝番を検索しＣＰＵ１２１に対して検索結果メッセージを送信する。
【００２１】
選局切換手段１２５は受信状態判定手段１２６からの受信状態メッセージから受信状態の変化に基づきＣＰＵ１２１に対して枝番検索要求を送信する。また検索結果メッセージに基づきＣＰＵ１２１に対して選局切換要求を送信する。
【００２２】
ＣＰＵ１２１は方送受信装置１００全体のシステムを管理するマイクロコンピュータであり、各手段およびメッセージの制御を行う。
【００２３】
ＲＡＭ１３３は書換えが可能な記憶媒体であり、必要に応じてデータの保存や消去が可能である。
【００２４】
次に、第１の実施形態である放送受信装置１００における選局切換の処理手順を図２を用いて説明する。
【００２５】
第１の実施形態である放送受信装置１００においては、受信状態検出手段１１１は放送電波の受信状態を常時監視している。受信状態判定手段１２６は、一定のしきい値をもとに受信状態を判定（Ｓ２０１）する。受信良好状態と判定した場合には現在視聴している選局状態を維持（Ｓ２０７）する。
【００２６】
さらに、受信状態判定手段１２６において（Ｓ２０１）受信不良状態を判定した場合には、選局切換手段１２５において現在選局されている番組のチャンネル番号と同一のチャンネル番号をもつ異なる枝番の検索を要求（Ｓ２０２)する。
【００２７】
次に、枝番検索手段１２４はチャンネル情報記憶手段１２３が管理記憶するチャンネル番号と枝番から、選局切換手段１２５が要求する現在選局されているチャンネル番号と同一のチャンネル番号をもつ異なる枝番の検索を実行（Ｓ２０３）する。
【００２８】
次に、選局切換手段１２５は枝番検索手段１２４の検索結果に基づき選局切換を判断（Ｓ２０４）する。異なる枝番を持つ現在視聴しているチャンネル番号と同一のチャンネル番号がチャンネル情報記憶手段１２３に記憶されていない場合には現在の選局状態を維持（Ｓ２０５）する。
【００２９】
さらに、選局切換手段１２５は異なる枝番を持つ現在視聴しているチャンネル番号と同一のチャンネル番号を持つチャンネル番号が存在する場合には、検索されたチャンネル番号と枝番に基づき選局を切り換える（Ｓ２０６）。
【００３０】
なお選局切換手段１２５は、枝番検索手段１２４の検索結果（Ｓ２０３）に基づき選局を切り換える処理（Ｓ２０６）を自動で行っているが、ユーザーによる動作の選択を行うためのユーザーインターフェースを用い、選局を切り換えるか現在の選局状態を維持するかの動作をユーザーの選択によって実現させても良い。
【００３１】
図３は、ユーザーの操作により動作の選択を行うためのユーザーインターフェース画面の表示例を示している。
【００３２】
選局切換手段１２５は、枝番検索手段１２４の検索結果に基づき選局を切り換える場合、ユーザーインターフェース画面（Ｇ３００）を表示する。ユーザーは画面上のカーソル（選択されている項目をハイライトさせる状態）を異なる枝番のチャンネルに選局切換を行う場合は「はい」に、現在の選局状態を維持する場合は「いいえ」に移動させ動作を選択する。
【００３３】
なお本表示例においては、「はい」の項目が選局切換を意味し、「いいえ」の項目が現在の選局状態の維持を意味させているが、「いいえ」の項目が選局切換を意味し、「はい」の項目が現在の選局状態の維持を行うようにしてもよい。
【００３４】
なお本表示例においては、カーソルの移動により動作の選択を実現させているユーザーインターフェース画面を提供しているが、リモコンのボタンに選局切換と現在の選局状態の維持のボタンを配置させることで特定のボタンの操作を誘導するユーザーインターフェース画面としてもよい。
【００３５】
また、リモコンに配置する選局切換の動作を選択するボタンについては、ユーザーインターフェース画面の誘導により、専用のボタンでも汎用的なボタンであってもよい。
【００３６】
なお本実施例においては、選局切換手段１２５は受信良好状態（Ｓ２０１）になるまで枝番検索手段１２４の検索結果（Ｓ２０３）に基づき選局を切り換える処理（Ｓ２０６）を繰り返し行うが、最初の枝番を記憶することで枝番検索手段１２４の検索結果（Ｓ２０３）が一巡したことを判断し、選局を切り換える処理（Ｓ２０６）を終了してもよい。また、一巡したことを判断した場合には、チャンネル設定手段１２２により新たに放送信号から選局可能なチャンネルのスキャンを自動で開始してもよい。また、チャンネル設定手段１２２により新たに放送信号から選局可能なチャンネルのスキャンを開始する場合には、ユーザーによるスキャンの開始の選択を行うためのインターフェイスを用いてもよい。
【００３７】
図４は、ユーザーの操作により動作の選択を行うためのユーザーインターフェース画面の表示例を示している。
【００３８】
選局切換手段１２５は、チャンネル設定手段１２２により新たに放送信号から選局可能なチャンネルのスキャンを開始する場合、ユーザーインターフェース画面（Ｇ４００）を表示する。ユーザーは画面上のカーソルをチャンネルのスキャンを開始する場合は「はい」に、開始しない場合は「いいえ」に移動させ動作を選択する。
【００３９】
なお本表示例においては、「はい」の項目がスキャンの開始を意味し、「いいえ」の項目がスキャンを開始しないを意味させているが、「いいえ」の項目がスキャンの開始を意味し、「はい」の項目がスキャンを開始しないようにしてもよい。
【００４０】
なお本表示例においては、カーソルの移動により動作の選択を実現させているユーザーインターフェース画面を提供しているが、リモコンのボタンにスキャンの開始のボタンを配置させることで特定のボタンの操作を誘導するユーザーインターフェース画面としてもよい。
【００４１】
また、リモコンに配置する選局切換の動作を選択するボタンについては、ユーザーインターフェース画面の誘導により、専用のボタンでも汎用的なボタンであってもよい。
【産業上の利用可能性】
【００４２】
本発明に係る放送受信装置、放送受信方法、記録媒体及びプログラムは移動などによる送出設備からの距離により受信不良が発生した場合であっても受信不良の発生を自動的に検出し、異なる送出設備からの同一のチャンネル番号を持つチャンネルに自動的に切り換えることが可能となるので、地上波デジタル放送による車載用放送受信装置など移動体に搭載の放送受信装置等として有用である。
【図面の簡単な説明】
【００４３】
【図１】本発明における第１の実施形態における放送受信装置の構成を示すブロック図
【図２】本発明における第１の実施形態における処理手順を示すフローチャート
【図３】本発明におけるユーザーインターフェース画面を示す図
【図４】本発明におけるユーザーインターフェース画面を示す図
【図５】従来例１のデジタル放送受信装置の処理を示すフローチャート
【符号の説明】
【００４４】
１００    第１の実施形態における放送受信装置
１０１    受信手段
１０２    映像・音声復調手段
１１１    受信状態検出手段
１２１    ＣＰＵ
１２２    チャンネル設定手段
１２３    チャンネル情報記憶手段
１２４    枝番検索手段
１２５    選局切換手段
１２６    受信状態判定手段
１３３    ＲＡＭ
【図１】
2007088673.tif 000003
【図２】
2007088673.tif 000004
【図３】
2007088673.tif 000005
【図４】
2007088673.tif 000006
【図５】
2007088673.tif 000007